(57)【特許請求の範囲】
【請求項１】
洗濯物が収容される回転槽と、前記回転槽から空気を排気する排気路と、前記排気路に接続して設けられ、前記洗濯物から出るリントを回収するリント捕集装置と、を備える衣類乾燥機であって、
前記リント捕集装置は、
収容部材と、
前記収容部材に着脱可能に収容される第一のフィルタ部材と、
前記第一のフィルタ部材の鉛直上側に前記第一のフィルタ部材によって支持された状態で、前記収容部材内の所定位置に着脱可能に収容される第二のフィルタ部材と、
前記第二のフィルタ部材に固定された被検知部と、
前記収容部材に対して固定されていて、前記被検知部が前記所定位置に存在することを検知する検知部と、
を備え、
前記第一のフィルタ部材が前記収容部材に収容されずに前記第二のフィルタ部材が前記収容部材に収容された場合に、重力の作用により前記第二のフィルタ部材が前記所定位置に装着できない、
衣類乾燥機。
【請求項２】
洗濯物が収容される回転槽と、前記回転槽から空気を排気する排気路と、前記排気路に接続して設けられ、前記洗濯物から出るリントを回収するリント捕集装置と、を備える衣類乾燥機であって、
前記リント捕集装置は、
収容部材と、
前記収容部材に着脱可能に収容される第一のフィルタ部材と、
前記第一のフィルタ部材の鉛直上側に前記第一のフィルタ部材によって支持された状態で、前記収容部材内の所定位置に着脱可能に収容される第二のフィルタ部材と、
を備え、
前記収容部材は、斜面状摺動部を備え、
前記第一のフィルタ部材が前記収容部材に収容されずに前記第二のフィルタ部材が前記収容部材に収容された場合に、前記第二のフィルタ部材が、前記斜面状摺動部に沿って滑り落ちる、
衣類乾燥機。
【請求項３】
洗濯物が収容される回転槽と、前記回転槽から空気を排気する排気路と、前記排気路に接続して設けられ、前記洗濯物から出るリントを回収するリント捕集装置と、を備える衣類乾燥機であって、
前記リント捕集装置は、
収容部材と、
前記収容部材に着脱可能に収容される第一のフィルタ部材と、
前記第一のフィルタ部材の鉛直上側に前記第一のフィルタ部材によって支持された状態で、前記収容部材内の所定位置に着脱可能に収容される第二のフィルタ部材と、
を備え、
前記第二のフィルタ部材は、前記第一のフィルタ部材が前記収容部材に収容された後に、前記収容部材に収容され、
前記第一のフィルタ部材が前記収容部材に収容されずに前記第二のフィルタ部材が前記収容部材に収容された場合に、重力の作用により前記第二のフィルタ部材が前記所定位置に装着できない、
衣類乾燥機。
【請求項４】
前記第一のフィルタ部材は、前記収容部材と係合することによって保持され、
前記第二のフィルタ部材は、前記第一のフィルタ部材と係合することによって保持される、
請求項１から３のいずれか一項に記載の衣類乾燥機。
【発明の詳細な説明】
【技術分野】
【０００１】
本発明の実施形態は衣類乾燥機に関する。
【背景技術】
【０００２】
衣類乾燥機には、通常、衣類から出た糸屑（リント）をフィルタにより回収するリント捕集装置が備わっている。リント捕集装置を設けずに乾燥を行うと、他の衣類がリントの付着により汚れたり、リントが風路を塞いで性能の低下や製品の故障の原因となったりする。
【０００３】
そこで、フィルタが装着されているかどうかをセンサーにより検知し、フィルタが装着されていない場合には、エラーを表示したり運転の開始を妨げたりする機能を備えた洗濯機が提供されている。これによって、使用者がフィルタをつけ忘れることを防止することができる。
【０００４】
リント捕集装置に二重以上のフィルタを設けることで、リントの捕集性能を上げることができる。複数のフィルタが正しく取りつけられていることを担保する従来の方法としては、各々のフィルタを検知する複数のセンサーを設置する方法や、可動機構を備え、フィルタ部材同士が嵌合することにより、被検知部が動いて検知される方法などがある。しかし、複数のセンサーを設置する場合も、被検知部を動かす可動機構を設ける場合も、部品点数が多くなり、材料費や工程数が増えるという問題がある。また、可動機構を設ける場合においては、リント捕集装置の故障の蓋然性が高まるという問題があり、さらに、リント捕集装置が高価になるため、故障時の部材の交換費用も高くなるという問題もある。
【先行技術文献】
【特許文献】
【０００５】
【特許文献１】特開２００９−２８５６４号公報
【特許文献２】特開２０１４−６４６４５号公報
【発明の概要】
【発明が解決しようとする課題】
【０００６】
本発明が解決しようとする課題は、部品点数の少ないシンプルな構造を有しながらも、複数のフィルタのつけ忘れを防止することができる衣類乾燥機を提供することである。
【課題を解決するための手段】
【０００７】
実施形態の一つである衣類乾燥機は、洗濯物が収容される回転槽と、前記回転槽から空気を排気する排気路と、前記排気路に接続して設けられ、前記洗濯物から出るリントを回収するリント捕集装置と、を備え、前記リント捕集装置は、収容部材と、前記収容部材に着脱可能に収容される第一のフィルタ部材と、前記第一のフィルタ部材の鉛直上側に前記第一のフィルタ部材によって支持された状態で、前記収容部材内の所定位置に着脱可能に収容される第二のフィルタ部材と、前記第二のフィルタ部材に固定された被検知部と、前記収容部材に対して固定されていて、前記被検知部が前記所定位置に存在することを検知する検知部と、を備える。前記第一のフィルタ部材が前記収容部材に収容されずに前記第二のフィルタ部材が前記収容部材に収容された場合に、重力の作用により前記第二のフィルタ部材が前記所定位置に装着できないようにする。
【図面の簡単な説明】
【０００８】
【図１】第一の実施形態による衣類乾燥機の模式図
【図２】第一の実施形態によるリント捕集装置の分解斜視図
【図３】第一の実施形態によるリント捕集装置の組立状態での斜視図
【図４】第一の実施形態におけるリント捕集装置の装着位置を示す衣類乾燥機上部の斜視図
【図５】第一の実施形態による収容部材単体の縦断側面図
【図６】第一の実施形態による収容部材に第一のフィルタ部材を収容した状態での縦断側面図
【図７】第一の実施形態による収容部材に第一のフィルタ部材および第二のフィルタ部材を収容した状態での縦断側面図
【図８】第二の実施形態による収容部材単体の縦断側面図
【図９】第二の実施形態による収容部材に第一のフィルタ部材および第二のフィルタ部材を収容した状態での縦断側面図
【図１０】第二の実施形態による収容部材に第一のフィルタ部材および第二のフィルタ部材を収容した状態での縦断正面図
【発明を実施するための形態】
【０００９】
以下、複数の実施形態による衣類乾燥機について図面を参照して説明する。なお、各実施形態において実質的に同一の構成部位には同一の符号を付し、説明を省略する。
（第一の実施形態）
まず、第一の実施形態の衣類乾燥機について図１から図７を参照して説明する。第一の実施形態の衣類乾燥機は、洗濯機能を備えた所謂洗濯乾燥機である。図１及び図４において、衣類乾燥機は、筺体１、水槽２、回転槽３、モータ１１を備える。
【００１０】
筺体１は、上部に開口部からなる洗濯物出入口１００（図４参照）を備えている。なお、筐体１には、図示はしないが、その洗濯物出入口１００を開閉する蓋が設けられている。
【００１１】
水槽２は有底円筒状に形成されており、開口端が上方を向くように、筺体１の内部に弾性的に支持されて収容されている。
回転槽３は、水槽２と同様に、有底円筒状に形成されており、開口端が上方を向くように、水槽２の内部に配置されている。回転槽３の底面中央部には、パルセータ３１が回転可能に設けられている。回転槽３は、水槽２の内部に、水槽２と中心軸が一致するように、回転可能に収容されている。回転槽３及びパルセータ３１は、水槽２の下方に設けられたモータ１１と図示しないクラッチ機構を介して接続されており、モータ１１の駆動力が回転槽３及びパルセータ３１の一方または両方に伝達される。
【００１２】
回転槽３は、円筒状側面及び底面に多数の孔部を有する。孔部は、洗濯工程においては、水が回転槽３と水槽２との間で自由に移動するための通水孔として機能し、乾燥工程においては、空気が自由に移動するための通風孔として機能する。
【００１３】
前記蓋を開放することにより、筺体１の洗濯物出入口１００、水槽２及び回転槽３の開口を通じて、筺体１外部と回転槽３の間で衣類を出し入れすることができる。
図１を参照しながら、本実施形態の風路について説明する。
【００１４】
乾燥工程時における空気の循環風路に沿って、各部の説明を行う。ファン７から送られた乾燥した空気は、ヒーター８により温められ、給気ダクト９を通して水槽２へと送りこまれる。乾燥した空気は、水槽２において洗濯物から水分を受け取り、湿った空気となる。水槽２内の湿った空気は、排気ダクト４を通じて排気される。水槽２より排気された空気は、風路の折り返し部に設けられたリント捕集装置５において濾過された後、水冷式除湿器６へ送られる。したがって、リント捕集装置５は、排気路の一部を構成する排気ダクト４の下流側に設けられている。リント捕集装置５については、後に詳細に述べる。
【００１５】
水冷式除湿器６に送られた空気は、水冷式除湿器６内の除湿器内風路６２を流れる。除湿器内風路６２は、筺体１内の上部にあるリント捕集装置５から下方に伸びており、その先の筺体１内の中部で風路が折り返される折返部６２１があり、そこから上方に向かって伸びている。さらに、除湿器内風路６２は、筺体１内の上部にある折曲部６２２において、折れ曲がっており、その先で、水槽２の上方に設けられたファン７へと接続されている。
【００１６】
折曲部６２２の付近には、冷却水を放出する注水口６１が設けられている。リント捕集装置５より除湿器内風路６２に送られてきた湿った空気は、注水口６１より放たれた冷却水によって冷却除湿されてファン７へと送られる。折返部６２１には、排水口６３が設けられており、注水口６１から放たれた水とリント捕集装置５より送られてきた湿った空気に含まれていた水は、排水口６３を通じて筺体１の外部へと排出される。
【００１７】
水冷式除湿器６を通過した空気は、ファン７によってヒーター８へと送風され、ヒーター８によって加熱され、高温の乾いた空気となって給気ダクト９を通じて水槽２へと再度送られる。
【００１８】
次に、図２から図７を参照しながら、リント捕集装置５について詳細に説明する。リント捕集装置５は、収容部材５１、第一のフィルタ部材５２及び第二のフィルタ部材５３からなる。まず、リント捕集装置５を構成する各部を説明する。
【００１９】
収容部材５１は、検知部５１１、排気ダクト接続部５１２、水冷式除湿器接続部５１３、収容部５１４、開口部５１５及びリブ５１６を備える。図４に示すように、収容部材５１は、筺体１の前記洗濯物出入口１００の周側部のうち正面から見て奥側の位置に、開口部５１５を手前に露出して設置されている。この位置は、蓋を開放した際に使用者から良く見える位置である。以下、リント捕集装置５の各部の位置について説明するとき、開口部５１５側（即ち、筺体１正面側）から見た位置関係で説明する。
【００２０】
検知部５１１は、リードスイッチである。検知部５１１は、収容部材５１の上面手前側に設けられており、第二のフィルタ部材５３に設けられた被検知部５３３（図７参照）を検知する。詳しくは後述する。
【００２１】
収容部材５１の手前側の下面には、円形の開口が設けられている。排気ダクト接続部５１２は、この円形開口を上端とする円筒状部分である。排気ダクト接続部５１２は、排気ダクト４に接続され、リント捕集装置５における空気の入り口となる。
【００２２】
収容部材５１の奥側の下面には、長方形の開口が設けられている。水冷式除湿器接続部５１３は、この開口を囲むように下方に突出した長方形の枠状の突起部である。水冷式除湿器接続部５１３は、水冷式除湿器６に接続され、リント捕集装置５における空気の出口となる。
【００２３】
第一のフィルタ部材５２及び第二のフィルタ部材５３は、開口部５１５を通じて、収容部５１４に前方から着脱可能に収容される。後述するが、第一のフィルタ部材５２及び第二のフィルタ部材５３の両方を収容部材５１に収容するためには、第一のフィルタ部材５２を先に収容し、その次に第二のフィルタ部材５３を収容しなければならない。
【００２４】
リブ５１６は、収容部５１４の最奥部の、中程の高さの位置に設けられた凸部である。リブ５１６は、収容部材５１の収容部５１４に第一のフィルタ部材５２及び第二のフィルタ部材５３が収容された場合に、収容部５１４の奥端において第一のフィルタ部材５２と第二のフィルタ部材５３の間の仕切りとなる（図７参照）。
【００２５】
第一のフィルタ部材５２は、第一のフィルタ部５２１、第一の孔部５２２、第一の係合部５２３、第二の係合部５２４、第三の係合部５２５、壁面部５２６及び第一の手掛部５２７を備える。
【００２６】
第一のフィルタ部５２１は、長方形状の枠に平面状の目の細かい網が張られたもので、第一のフィルタ部材５２の奥側に、網の上面が真上方向を向くように設けられている。第一のフィルタ部５２１は、平面状であるため手入れがしやすい。第一のフィルタ部５２１の長方形状の枠は、水冷式除湿器接続部５１３の端面の長方形を僅かに相似縮小した形状をしている。
【００２７】
第一の孔部５２２は、排気ダクト接続部５１２よりも僅かに径の小さい円状の孔であり、第一のフィルタ部材５２の手前側に、第一のフィルタ部材５２を上下に貫通するように設けられている。
【００２８】
第一の係合部５２３は、第一の孔部５２２を上端とする円筒形状をしており、第一のフィルタ部材５２を収容部材５１に収容した際に、排気ダクト接続部５１２にぴたりと嵌って係合する。第一の係合部５２３は、排気ダクト接続部５１２と係合することにより、排気ダクト接続部５１２上方の風路を形成する。
【００２９】
第二の係合部５２４は、第一のフィルタ部５２１の枠の下部に突出した長方形の枠状の突起である。第二の係合部５２４は、第一のフィルタ部材５２を収容部材５１に収容した際に、水冷式除湿器接続部５１３にぴたりと嵌って係合する。第二の係合部５２４は、水冷式除湿器接続部５１３と係合することにより、第一のフィルタ部５２１と水冷式除湿器接続部５１３との間の風路を形成する。
【００３０】
第三の係合部５２５は、第一のフィルタ部５２１の手前の上面に設けられた、直線状の突起である。突起方向は上向きであり、線の延び方向は横向きである。第三の係合部５２５は、後述の第四の係合部５３４と係合する。
【００３１】
第一のフィルタ部材５２の第一のフィルタ部５２１の周囲の部分には、壁面部５２６が設けられている。この壁面部５２６は、第一のフィルタ部５２１を囲むとともに後部側が高くなるように形成されている。収容部材５１に第一のフィルタ部材５２を収容した際に、壁面部５２６の後部が、リブ５１６の下面に近接するような高さになっている（図６、図７参照）。壁面部５２６は、収容部材５１に第一のフィルタ部材５２と第二のフィルタ部材５３を収容した際に、第二のフィルタ部５３１のすぐ下に位置して第一のフィルタ部５２１と第二のフィルタ部５３１との間の風路を形成する（図７参照）。
【００３２】
第一の手掛部５２７は、第一のフィルタ部材５２の手前の端に斜め下向きに設けられている。第一の手掛部５２７は、第一のフィルタ部材５２を収容部材５１に収容した際に、開口部５１５より手前に突出するため、使用者が第一のフィルタ部材５２を収容部材５１から出し入れする際に掴みやすい。
【００３３】
第二のフィルタ部材５３は、第二のフィルタ部５３１、第二の孔部５３２、被検知部５３３、第四の係合部５３４、風路ガイド部５３５及び第二の手掛部５３７を備える。
第二のフィルタ部５３１は、長方形状の枠に平面状の網が張られたもので、第二のフィルタ部材５３の奥側に、網の上面が上手前方向を向くように設けられている。第二のフィルタ部５３１は、第一のフィルタ部５２１と同様に、平面状であるため手入れがしやすい。第二のフィルタ部５３１の網は、第一のフィルタ部５２１の網よりも目が粗い。第二のフィルタ部５３１は、第一のフィルタ部材５２及び第二のフィルタ部材５３が収容部材５１に収容された際に、第一のフィルタ部５２１の上方に位置するようになっている。
【００３４】
第二の孔部５３２は、弧状部分を手前側とする蒲鉾型の孔で、第二のフィルタ部材５３の手前側の位置に上下方向に貫通するように設けられている。第二の孔部５３２は、第一のフィルタ部材５２及び第二のフィルタ部材５３が収容部材５１に収容されたとき、第一の孔部５２２の上方に位置し、第一の孔部５２２を通過してきた空気を通過させる。
【００３５】
被検知部５３３は、永久磁石である。被検知部５３３は、第二のフィルタ部材５３の手前側上部に設けられており、検知部５１１により検知される。詳しくは後述する。
第四の係合部５３４は、第二のフィルタ部５３１の枠の手前端が下向きに小さく折れ曲がって形成されている突起である。第四の係合部５３４は、第一のフィルタ部材５２及び第二のフィルタ部材５３が収容部材５１に収容されたとき、第三の係合部５２５に後ろ側から係合する。
【００３６】
風路ガイド部５３５は、第二のフィルタ部材５３の手前側に設けられた曲面部分である。風路ガイド部５３５は、下部では、水平面に垂直な曲面であるが、上部へにいくにしたがって奥方向へ湾曲しており、上部では鉛直面に垂直な平面となっている。風路ガイド部５３５により、第二の孔部５３２を通過した空気は、第二のフィルタ部５３１がある奥方向へ滑らかに誘導される。
【００３７】
第二の手掛部５３７は、第二のフィルタ部材５３の手前の端に設けられている。第二の手掛部５３７は、第一のフィルタ部材５２及び第二のフィルタ部材５３を収容部材５１に収容した際に、開口部５１５より手前に突出し、また、第一の手掛部５２７が隣接する下面ではなく前面に設けられているため、使用者が第二のフィルタ部材５３を収容部材５１から出し入れする際に掴みやすい。
【００３８】
図５から図７を参照しながら、収容部材５１に第一のフィルタ部材５２及び第二のフィルタ部材５３を収容する手順を説明する。
収容部材５１に第一のフィルタ部材５２及び第二のフィルタ部材５３を収容する際は、まず第一のフィルタ部材５２を収容し、次に第二のフィルタ部材５３を収容する。
【００３９】
図５は、収容部材５１の断面図であり、図６は、収容部材５１に第一のフィルタ部材５２を収容した状態での断面図である。第一のフィルタ部材５２を収容部材５１に収容する際は、第一のフィルタ部材５２を、開口部５１５を通じて収容部５１４へ前方から挿入し、第一の係合部５２３及び第二の係合部５２４を、それぞれ排気ダクト接続部５１２及び水冷式除湿器接続部５１３に上方から嵌め込むようにして係合させる。これにより第一のフィルタ部材５２は安定して収容される。
【００４０】
図７は、収容部材５１に第一のフィルタ部材５２及び第二のフィルタ部材５３を収容した状態での断面図である。第二のフィルタ部材５３を第一のフィルタ部材５２に続いて収容する際は、収容部５１４のうち第一のフィルタ部材５２の上方の空間に、開口部５１５を通じて第二のフィルタ部材５３を滑り込ませるようにして収容する。このとき、第二のフィルタ部材５３の下方の第四の係合部５３４が第一のフィルタ部材５２上面の第三の係合部５２５に後ろ側から係合することにより、第二のフィルタ部材５３は図７に示す所定位置に安定した状態で収容される。即ち、第二のフィルタ部材５３は、収容部材５１のみに支持されて安定するのではなく、第一のフィルタ部材５２に支持され、また、第一のフィルタ部材５２と係合することにより安定的に収容部材５１に収容される。
【００４１】
なお、第二のフィルタ部材５３を収容部材５１に収容した後に、第一のフィルタ部材５２を収容しようとしても、第一の係合部５２３、第二の係合部５２４及び手掛部５２６が邪魔となって収容できない。第一のフィルタ部材５２及び第二のフィルタ部材５３の装着順番が決まっているため、本実施形態では、フィルタの装着忘れが起こりにくい。
【００４２】
リント捕集装置５中における風路について説明する。リント捕集装置５は、第一のフィルタ部材５２及び第二のフィルタ部材５３が収容部材５１に収容された状態において、風路の折り返し部を形成する。水槽２より排気ダクト４を通じて送られてきた空気は、排気ダクト接続部５１２からリント捕集装置５に流れ込む。排気ダクト接続部５１２を通過した空気は、さらに第一の係合部５２３及び第二の孔部５３２を通過し、風路ガイド部５３５によって滑らかに流れの方向が曲げられ、リント捕集装置５正面方向から見て奥側へと進む。そして、収容部５１４の奥側でさらに流れが曲げられ、空気は、下方へ流れて第二のフィルタ部５３１及び第一のフィルタ部５２１を順に通過する。第二のフィルタ部５３１及び第一のフィルタ部５２１を通過した空気は、第二の係合部５２４及び水冷式除湿器接続部５１３を通じて、水冷式除湿器６へと流れ出る。
【００４３】
検知部５１１によって被検知部５３３を検知する手段について、図７を用いて説明する。前述のように、フィルタが正しく収容されたとき、即ち、第二のフィルタ部材５３が第一のフィルタ部材５２の上に重なって支持された状態で収容されたとき、第二のフィルタ部材５３の上部に設けられた被検知部５３３は、収容部材５１に設けられた検知部５１１に近接する（このときの第二のフィルタ部材５３の位置を『所定位置』とする）。このとき、被検知部５３３は、検知部５１１により検知される。一方、第一のフィルタ部材５２が収容されずに、第二のフィルタ部材５３のみが収容された場合、第二のフィルタ部材５３は、重力の作用によって、前記所定位置よりも下側に位置することとなり、前記所定位置に装着することができない。このとき、被検知部５３３は、検知部５１１の検知範囲外に位置することとなり、検知されない。
【００４４】
被検知部５３３が検知されない場合、エラー表示が行われ、さらに、乾燥工程が開始されない。これによって、他の衣類がリントの付着により汚れたり、リントが風路を塞いで性能の低下や製品の故障を原因となったりすることを防ぐことができる。
【００４５】
また、第一のフィルタ部材５２が収容部材５１に収容されない状態で、第二のフィルタ部材５３が収容部材５１に収容された場合、第二のフィルタ部材５３の位置が低くなるため、外観上違和感が生じる。これによっても、使用者に、第一のフィルタ部材５２の装着忘れを看取させることができる。
【００４６】
以上説明した第一の実施形態によれば、一つのセンサーで複数のフィルタの装着状態を判定することができる。また、外観を通じて、使用者にフィルタの装着忘れを看取させることができる。
【００４７】
さらに、特許文献２に示されるような、可動機構を用いて複数のフィルタの装着状態を判定する場合と比較すると、本実施形態は、次の二つの顕著な効果を奏する。
一つ目は、故障の蓋然性が低減されるという効果である。可動機構は、一般に故障の可能性をはらむものであるので、可動機構を少なくすることは、製品品質の観点から非常に重要である。
【００４８】
二つ目は、可動機構を設けるのに必要な部品や工程が不要であるという効果である。可動機構が設けられたリント捕集装置を製造するには、本実施形態のリント捕集装置を製造するよりも多くの部品が必要である。また、ねじ止め等の余分な工程も必要となる。可動機構を有する場合には、特許文献２に示されるように、ばね等によって可動機構の正常な動作を担保することが好ましいが、この場合においては、さらに余分な部品や工程が必要となる。本実施形態は、可動機構を用いずに複数のフィルタの装着状態を判定するので、これら余分な部品や工程が一切不要である。
【００４９】
（第二の実施形態）
次に、第二の実施形態について、主に図８から図１０を参照しながら、第一の実施形態と異なっている部分を中心に説明する。
【００５０】
本実施形態は、第一の実施形態とは異なり、センサーを用いずにフィルタのつけ忘れを防止する。従って、本実施形態には、第一の実施形態における検知部５１１及び被検知部５３３が設けられていない。
【００５１】
リント捕集装置５における収容部材５１の左右両側の内側面には、手前から奥に向かって高くなっている直線状の突起部である斜面状凸部５１７が設けられている（図８及び図１０参照）。これら斜面状凸部５１７は、斜面状摺動部として機能する。
【００５２】
第一のフィルタ部材５２は、図１０に示すように、下部における左右幅は収容部５１４の左右幅と一致するが、中部から上部における左右幅は収容部５１４の左右幅よりも小さくなっている。
【００５３】
第二のフィルタ部材５３は、左右両側の外側面に直線状の凸部である外側面凸部５３８を有する。これら外側面凸部５３８も、斜面状凸部５１７に沿うように、手前から奥に向かって高くなるように傾斜している（図９参照）。
【００５４】
本実施形態では、第一の実施形態と同様に、収容部材５１に第一のフィルタ部材５２及び第二のフィルタ部材５３を収容する際は、まず第一のフィルタ部材５２を収容し、次に第二のフィルタ部材５３を収容する。
【００５５】
第一のフィルタ部材５２を収容部材５１に収容する際は、第一のフィルタ部材５２を、開口部５１５を通じて収容部５１４へ挿入し、第一の係合部５２３及び第二の係合部５２４を、それぞれ排気ダクト接続部５１２及び水冷式除湿器接続部５１３に上方から嵌め込むようにして係合させる。これにより第一のフィルタ部材５２は安定して収容される。
この場合、前述のように、第一のフィルタ部材５２の中部から上部における左右幅は、収容部５１４の左右幅よりも小さくなっているため、斜面状凸部５１７とは干渉せずに第一のフィルタ部材５２を収容部材５１から出し入れすることができる。
【００５６】
第二のフィルタ部材５３を第一のフィルタ部材５２に続いて収容する際は、収容部５１４のうち第一のフィルタ部材５２の上方の空間に、開口部５１５を通じて第二のフィルタ部材５３を滑り込ませるようにして収容する。このとき、第二のフィルタ部材５３の下方の第四の係合部５３４が第一のフィルタ部材５２上面の第三の係合部５２５に後ろ側から係合することにより、第二のフィルタ部材５３は図９に示す所定位置に安定した状態で収容される。第二のフィルタ部材５３は第一のフィルタ部材５２によって支持されるため、外側面凸部５３８は斜面状凸部５１７よりも上方に位置し、外側面凸部５３８は斜面状凸部５１７に接触しない。
【００５７】
一方、第一のフィルタ部材５２を収容部材５１へ収容せずに、第二のフィルタ部材５３のみを収容部材５１に収容した場合、第二のフィルタ部材５３は、第一のフィルタ部材５２が存しないためにその第一のフィルタ部材５２により下から支持されないため、重力の作用により、外側面凸部５３８が斜面状凸部５１７上に乗る。そして、第二のフィルタ部材５３は、重力の作用により、斜面状凸部５１７に沿って前方へ向けて滑り落ちる。
【００５８】
前述のように、収容部材５１に斜面状凸部５１７を設けたことにより、第一のフィルタ部材５２なしに第二のフィルタ部材５３を設置することができない。これにより、第一のフィルタ部材５２の装着忘れを防ぐことができる。一方、第二のフィルタ部材５３は、筺体１と一体となって外面を形成し、さらに、使用者の目に付きやすい部分に位置するので、外観をもって第二のフィルタ部材５３の装着忘れを防ぐことができる。
【００５９】
以上説明した第二の実施形態によれば、センサーを用いずに複数のフィルタが正しく装着されていることを担保することができる。センサーを設けないことによる有利な効果としては、主に、以下の二つがある。一つ目は、検知部や被検知部を設けるための部品や工程が不要であるという効果である。部品数及び工程数を減らすことで、製造に必要な費用を抑えることができる。なお、制御にかかる部品が減るので、ハードウェアだけでなくソフトウェア開発の面でも工程を減らすことができる。
【００６０】
二つ目は、故障の蓋然性が低くなるという効果である。センサーを用いてフィルタの装着判定を行う場合、電気的な不良により、フィルタの装着判定が正しく行われなくなる可能性がある。例えば、検知部のリードスイッチの劣化によって接触不良が起こる可能性がある。本実施形態は、センサーを用いずに、構造のみでフィルタの装着忘れを防いでいるため、リント捕集装置に関して電気的な故障が起こり得ない。
【００６１】
また、特筆すべきは、可動機構を用いて複数のフィルタの装着状態を判定する場合と比較すると、有利な効果がさらに際立つことである。即ち、可動機構もセンサーも用いないことによって、故障の蓋然性は極めて低くなり、また、部品点数及び工程数を大幅に減らすことができる。故障の蓋然性を低減させることは、製品品質の観点から非常に重要であるし、また、部品点数や工程数を減らすことも、今日の家電業界における熾烈な価格競争を鑑みれば、極めて重要なことである。
【００６２】
なお、第二の実施形態の収容部材５１に設けられた斜面状凸部５１７を、第一の実施形態の収容部材５１に設けることにより、一層強く、外観を通じてフィルタ装着忘れを報知することもできる。
【００６３】
本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
図面中、２は水槽、３は回転槽、４は排気ダクト（排気路）、５はリント捕集装置、５１は収容部材、５２は第一のフィルタ部材、５３は第二のフィルタ部材、５１１は検知部、５１４は収容部、５１６はリブ、５１７は斜面状凸部（斜面状摺動部）、５２１は第一のフィルタ部、５２３は第一の係合部、５２４は第二の係合部、５２５は第３の係合部、５３１は第二のフィルタ部、５３３は被検知部、５３４は第四の係合部、５３８は外側面凸部を示す。
【図１】
0006400406.tif 000002
【図２】
0006400406.tif 000003
【図３】
0006400406.tif 000004
【図４】
0006400406.tif 000005
【図５】
0006400406.tif 000006
【図６】
0006400406.tif 000007
【図７】
0006400406.tif 000008
【図８】
0006400406.tif 000009
【図９】
0006400406.tif 000010
【図１０】
0006400406.tif 000011